Podtech/llm-jp-corpus-v4-ja_patent huggingface dataset:
(57)【要約】      （修正有）【課題】災害などで信号機の機能不全よる交通混乱で交通事故、交通渋滞等を防ぐため、迅速な規制標識を搬送、設置を可能とし、一人で必要本数を持ち歩くことができ、また必要充分な本数を車載できる転倒防止付コーン型交通規制標識を提供する。【解決手段】転倒防止対策に交通規制用コーン１の底に回転することにより収納可能なアウトリーガーバー２を取付けたことを特徴とし、さらに交通規制用コーンの上部半球部分をジョイント金具４で補強し、ワンタッチで標識３を取付けられることを特徴とする。【選択図】図１
0003185760.tif 000002
【実用新案登録請求の範囲】
【請求項１】
交通規制用コーン転倒防止用バーを取り付けそれが収納時に内部に収納され、うえに重ねて保管できるため、コーンの持っている保管のコンパクトさ維持しながら転倒防止を強化したことを特徴とする転倒防止付コーン型交通規制標識。
【請求項２】
交通規制用コーンの上部球面部分をジョイント金具で補強し、ワンタッチで標識を取り付けられることを特徴とする転倒防止付コーン型交通規制標識。
【考案の詳細な説明】
【技術分野】
【０００１】
本発明は災害などで信号機の機能不全よる交通混乱で交通事故、交通渋滞等を防ぐため、迅速な規制標識を搬送、設置を可能とする簡易型交通規制標識に関する。
【背景技術】
【０００２】
従来の規制標識は重量が重く長さも長いため一人で簡単に持ち歩くことができず、パトカー等の搬送車両に必要充分な本数を車載することも不可能であった。
【先行技術文献】
【非特許文献】
【０００３】
【非特許文献１】「安全機材・特注看板総合カタログ」グリーンクロス（株）ｐ１４３
【非特許文献２】「ＴＯＡＮの安全保安用品、標識」トーアン（株）ｐ２４１
【考案の概要】
【考案が解決しようとする課題】
【０００４】
本発明は、以上のような不都合を対策するため一人で必要本数を持ち歩くことができ、また必要充分な本数を車載できることを課題とする。
【課題を解決するための手段】
【０００５】
上記目的を達成するために、本発明は本体に交通規制用コーン（以後コーン）を使用しコーンの底部コーナーにアウトリガーバーを取り付け、上部半球部の内面と外面を金属で補強し交通規制標識を取り付けることができるようにしたものである。
【考案の効果】
【０００６】
以上の説明から明らかなように、本発明にあっては次に列挙する効果がえられる。
(１)一人ですばやく設置することができる。
(２)必要充分な本数を小さい車両で運搬できる。
【０００７】
(３)交通規制標識を現場で簡単に取り替えることができる。
【０００８】
(４)保管スペースが狭めることができる。
【図面の簡単な説明】
【０００９】
【図１】本件「転倒防止付コーン型交通規制標識」の全体を説明する斜視図です。
【考案を実施するための形態】
【００１０】
以下、本発明の実施の形態を図に基づいて説明する。
【実施例１】
【００１１】
図１は本発明の実施例１の設置したとき全体斜視図であって、１コーンの下部コーナーに３アウトリガーバーが４本組み込まれており設置したときは図のように引き出す構造である。収納時は矢印の方向に回転しながらコーンの底へ収納されるため、1コーンに標識が取り付けられていないときは、１コーンを上に重ねて保管することできるのである。また１コーンの上部球面部分の補強を兼ねた４ジョイント金具を取り付け、それに３交通規制標識を取り付けるのである。取り付けはワンタッチでできるため現場で状況に応じた標識の取替えが可能になるのである。
【産業上の利用可能性】
【００１２】
本考案は災害時信号機が作動不能の際、警察官のすばやい対応を助けるために利用される。
【符号の説明】
【００１３】
１  交通規制用コーン
２  アウトリガーバー
３  交通規制標識
４  ジョイント金具
【図１】
0003185760.tif 000003
【手続補正書】
【提出日】平成25年6月28日(2013.6.28)
【手続補正１】
【補正対象書類名】実用新案登録請求の範囲
【補正対象項目名】全文
【補正方法】変更
【補正の内容】
【実用新案登録請求の範囲】
【請求項１】
転倒防止対策に交通規制用コーンの底に回転することにより収納可能なアウトリーガーを取付けたこと特徴とする転倒防止付コーン型交通規制標識。
【請求項２】
交通規制用コーンの上部半球部分をジョイント金具で補強し、ワンタッチで標識を取付けられることを特徴とする請求項１記載の転倒防止付コーン型交通規制標識。
(57)【要約】      （修正有）【課題】ワイシャツやブラウス等の裾がズボン、スカート等からのズリ上がりを防止するアンダーウェアパンツ及び前記アンダーウェアパンツに対応したワイシャツ、ブラウス、各種シャツを提供する。【解決手段】アンダーウェア・パンツ１（トランクス、ブリーフ、フィットパンツ、ロングパンツ、ガードル、シーツなどのフィットするパンツ）のゴム入りのウエストバンド腰周り部分の前後左右に、ゴム紐等でループ形状の伸縮自在となる、ボタン掛けａを取り付け、ワイシャツ等に付けたボタンとピンポイントで連結できることを特徴とし、アンダーウェア・パンツ、のボタン掛けの位置にワイシャツ、ブラウス等のボタンを取り付けアンダーウェア・パンツとワイシャツを接続することで、ワイシャツ、ブラウス等のズリ上がりを防止する。【選択図】図１
0003185751.tif 000002
【実用新案登録請求の範囲】
【請求項１】
アンダーウェア・パンツ（トランクス、ボクサー、ブリーフ、フィットパンツ、ロングパンツ、ガードル、シーツなどのフィットするパンツ）のゴム入りのウエストバンド腰周り部分の前後左右に、ゴム紐等でループ形状の伸縮自在となるボタン掛けを取り付け、ワイシャツ等に付けたボタンとピンポイントで連結できることを特長としたアンダーウェア・パンツ。
【請求項２】
請求項１のアンダーウェア・パンツのボタン掛けと連結するためにその位置にボタンを取り付けた、ワイシャツ、ブラウス、各種シャツ等の製品。個人的なボタンの取り付けは含まない。
【考案の詳細な説明】
【技術分野】
【０００１】本考案はワイシャツやブラウス等の裾がズボン、スカート等からのズリ上がり防止に関するものである。
【背景技術】
【０００２】ワイシャツ、ブラウス等の裾を押さえるゴム製のイボ付ベルトがあるワイシャツ等を着た上からその裾をベルトでウェスト部に締め付ける、ズリ上がり防止バンド。ズボンのベルト位置内側にすべり止めを縫い付けたズリ上がり防止のズボン等。
【先行技術文献】
【特許文献】
【０００３】
【特許文献１】実用新案登録第３１２６７２０号広報
【特許文献２】実用新案登録第３０８１９６５号広報
【特許文献３】特許公開平１０−７２７０２広報
【特許文献４】特許公開平０７−３３１５１７広報
【特許文献５】実用新案公開平０７−９９０２広報
【特許文献６】実用新案公開平０４−７８２１４広報
【特許文献７】実用新案公開平０４−１３６１８広報
【特許文献８】実用新案公開平０３−１０３２２２広報
【特許文献９】実用新案公開昭６２−１９８２１９広報
【特許文献１０】実用新案公開昭６０−４５３３２広報
【考案の概要】
【考案が解決しようとする課題】
【０００４】特許文献１はワイシャツと下半身下着との連結でずれを防ぐものです、シャツ等は無数のデザイン、メーカがあります、購入される方は自分の好きなデザイン製品を購入します、この考案ではそれに対応出来ない、今購入しているシャツなどに対応出来ない。又この考案は下半身下着とシャツをしっかりと連結されていますので体の動きに違和感があると考えられます。【０００５】特許文献３、６はバンドによるズリ上り防止が提供されているが一定の効果はなすが一寸した背伸び、捻転等の動きでワイシャツがずり上がる、ずり上がったら滑り止めが逆効果に働きワイシャツとバンドが同時にズリ上り基に戻らないその繰り返しでますますズリ上がり醜い服装になる。【０００６】特許文献２、４、５、７、８は専用器具でワイシャツを固定する方法ですが特殊な器具を使用しない容易な方法とする又、ワイシャツが固定されるために、ゆとりがなく肩に負荷が来、体に違和感があると考えられます。【０００７】特許文献９、１０はズボンとワイシャツを連結するもので体の動きが悪くズボンの重さが肩に来ます。
【課題を解決するための手段】
【０００８】アンダーウェア・パンツ（トランクス、ボクサー、ブリーフ、フィットパンツ、ロングパンツ、ガードル、シーツなどのフィットするパンツ）のゴム入りのウエストバンド腰周り部分の前後左右に、ゴム紐等でループ形状の伸縮自在となるボタン掛けを取り付け、ワイシャツ等に付けたボタンとピンポイントで連結できることを特長としたアンダーウェア・パンツ。【０００９】請求項１のアンダーウェア・パンツのボタン掛けと連結するためにその位置にボタンを取り付けた、ワイシャツ、ブラウス、各種シャツ等の製品。個人的なボタンの取り付けは含まない。
【考案の効果】
【００１０】アンダーウェア・パンツとワイシャツをボタンなどで連結することによりシャツのずり上がりを防止できます。連結されたゴム入りのウエストバンドはピンポイントでの連結ですので、上下に自在に動きます、又ボタン掛けのゴム紐も自在に動きワイシャツ裾の位置を保ちます、なおパンツとワイシャツを連結しても体に違和感もなく肩に負担がかかりません。
【図面の簡単な説明】
【００１１】
【図１】本考案のアンダーウェア・パンツの斜視図
【図２】本考案のワイシャツのボタン取り付け位置の斜視図
【図３】本考案のアンダーウェア・パンツに取り付けたループ形状のボタン掛け部分の拡大図
【考案を実施するための形態】
【００１２】アンダーウェア・パンツの腰周り前後左右にゴム紐でループ形状のボタン留めを取り付け、ワイシャツ側にはアンダーウェア・パンツボタン留めの位置にボタンを取り付ける。
【実施例】
【００１３】この考案のアンダーウェア・パンツを装着し、既製品のワイシャツ等の前身ごろの下ボタンに本考案のルーフ形状ボタン掛けに取り付けワイシャツのボタンをはめます、これでワイシャツ前面とパンツが連結されます、これでワイシャツ前面部裾ずれ上がりを防止できます。【００１４】ワイシャツ前面部分でなく脇からのズリ上がり、背中からのズリ上がりに対応するために、ワイシャツ裏側左右に取り付けたボタンをアンダーウェア・パンツのボタン掛けに取り付ければワイシャツ脇部裾のズリ上がりの防止ができます、又背中部分も同様な方法を取れば、ワイシャツ背中部裾のずれ上がりの防止ができます。なお、シャツをパンツの中に入れられる方はワイシャツの表面にボタンを取り付けます。
【符号の説明】
【００１５】▲１▼  アンダーウェア・パンツ
▲２▼  ワイシャツ等
（ａ）  ループ形状のボタン留め
（ｂ）  ボタン
【図１】
0003185751.tif 000003
【図２】
0003185751.tif 000004
【図３】
0003185751.tif 000005
【手続補正書】
【提出日】平成25年6月21日(2013.6.21)
【手続補正１】
【補正対象書類名】実用新案登録請求の範囲
【補正対象項目名】請求項１
【補正方法】変更
【補正の内容】
【請求項１】
アンダーウェアパンツ（トランクス、ブリーフ、フィットパンツ、ロングパンツ、ガードル、シーツなどのフィットするパンツ）のゴム入りのウエストバンド腰周り部分の前後左右に、ゴム紐等でループ形状の伸縮自在となるボタン掛けを取り付け、ワイシャツ等に付けたボタンとピンポイントで連結できることを特徴としたアンダーウェアパンツ。
【手続補正２】
【補正対象書類名】実用新案登録請求の範囲
【補正対象項目名】請求項２
【補正方法】変更
【補正の内容】
【請求項２】
請求項１のアンダーウェアパンツのボタン掛けと連結するためにその位置にボタンを取り付けたワイシャツ、ブラウス、各種シャツ。
(57)【要約】      （修正有）【課題】ジッパー付包装袋の切り取り部分に緩やかな曲線のミシン目を入れることによって、使用する時に開けやすくしたジッパー付包装袋を提供する。【解決手段】袋本体１の上部にジッパーを設けてなるジッパー付包装袋において、ジッパーの上側に曲線状のミシン目２よりなる切り取り部分を設けたことを特徴とする。【選択図】図１
0003185755.tif 000002
【実用新案登録請求の範囲】
【請求項１】
本体１の切り取る部分に緩やかな曲線のミシン目２を入れることによって、手でつかみやすく、開けやすくすることができるジッパー付包装袋。
【考案の詳細な説明】
【技術分野】
【０００１】  本考案は、ジッパー付包装袋の切り取り部分に緩やかな曲線のミシン目２を入れることによって、使用する時に開けやすくしたものである。
【考案の概要】
【考案が解決しようとする課題】
【０００２】  ジッパー付包装袋は開ける時、手でつかむ部分の面積が狭いので、開けにくい。
本考案は、この課題を解消するためになされたものである。
【課題を解決するための手段】
【０００３】  切り取り部分に緩やかな曲線のミシン目２を入れることによって、開けやすく手でつかみやすくした。
【考案の効果】
【０００４】  このようにすれば、使用する時、本体１は手でつかみやすく開けやすい。
【図面の簡単な説明】
【０００５】
【図１】  緩やかな曲線のミシン目２の入ったジッパー付包装袋の全体図
【考案を実施するための形態】
【０００６】  ジッパー付包装袋の切り取る部分に緩やかな波線のミシン目２を入れることによって、手でつかみやすく、開けやすいようにする。
【符号の説明】    １  本体
２  ミシン目
【図１】
0003185755.tif 000003
【手続補正書】
【提出日】平成25年6月14日(2013.6.14)
【手続補正１】
【補正対象書類名】実用新案登録請求の範囲
【補正対象項目名】全文
【補正方法】変更
【補正の内容】
【実用新案登録請求の範囲】
【請求項１】
袋本体の上部にジッパーを設けてなるジッパー付包装袋において、前記ジッパーの上側に曲線状のミシン目よりなる切り取り部分を設けたことを特徴とするジッパー付包装袋。
(57)【要約】      （修正有）【課題】広告、案内、社名、ロゴマークが印刷されているクリアーファイルにおいて、使用者がファイルに挟んだ状態での内容物の目視確認が容易に出来、透明色を活かして視認度を保つクリアーファイルを提供する。【解決手段】広告案内写真等が裏面内側に印刷されることを特徴とすることによりファイル内の内容物が見やすくなる為利用感が良くなる。【選択図】図６
0003185752.tif 000002
【実用新案登録請求の範囲】
【請求項１】
クリアーファイルに広告又は案内等の表示をする場合に限るものとする。
【考案の詳細な説明】
【考案の概要】
【考案が解決しようとする課題】
【０００１】
表紙面に広告等を印刷しない事により使用者のファイル内容物が見やすくなる
【課題を解決するための手段】
【０００２】
表面には広告を印刷しないで裏面に表面向きに印刷することにより解決する
【考案の効果】
【０００３】
案内等が入っているクリアーファイルの使用感覚が良くなる
【図面の簡単な説明】
【０００４】
【図１】本件クリアファイルの構造
【図２】クリアファイルの完成状態
【図３】クリアファイルの表面をめくりあげた状態
【図４】書面を挟み込んだ状態
【図１】
0003185752.tif 000003
【図２】
0003185752.tif 000004
【図３】
0003185752.tif 000005
【図４】
0003185752.tif 000006
【手続補正書】
【提出日】平成25年7月3日(2013.7.3)
【手続補正１】
【補正対象書類名】明細書
【補正対象項目名】全文
【補正方法】変更
【補正の内容】
【考案の詳細な説明】
【考案の概要】
【考案が解決しようとする課題】
【０００１】
広告や案内付のクリアーファイルは、書面をはさんだ状態では、利用者の内容物の確認が容易にできない。
【課題を解決するための手段】
【０００２】
広告や案内、社名、ロゴマークを表面に印刷しないで、裏面に表面向きに印刷することにより解決する。
【考案の効果】
【０００３】
従来の、広告、案内、社名、ロゴマークが印刷されているクリアーファイルは、使用者がファイルに挟んだ状態での内容物の目視確認が容易に出来ない事があり、透明色を活かして視認度をあげるという、クリアーファイルとしての役割を一部損なっている。このことを解決する為に、広告と案内を表面から裏面に移動することにより、広告と案内という印刷物としての目的を失わずに使用感も良くなり、広告付きクリアーファイルの活用を活性化させる効果がある。
【図面の簡単な説明】
【０００４】
【図１】表に広告が印刷されたクリアーファイル。黒塗りの部分は、広告が一面に印刷されていることを示す。「広告」の文字部分は、透明の抜き印刷であることを示す。
【図２】表に広告が印刷されたクリアーファイルの、表面をめくり開いた状態。
【図３】表に広告が印刷されたクリアーファイルに、書面をはさんだ状態。
【図４】表に広告が印刷されたクリアーファイルに、書面をはさんで、めくり開いた状態。表面を開かないと、内容物が確認できないことを示している。
【図５】今回の考案により、裏に広告を印刷したクリアーファイル。図１と変わらず、広告（印刷物）としての性能に変化がないことを示している。
【図６】今回の考案により、裏に広告を印刷したクリアーファイルの、表面をめくり開いた状態。
【図７】今回の考案により、裏に広告を印刷したクリアーファイルに、書面をはさんだ状態。内容物の確認が容易であることを示している。
【図８】今回の考案により、裏に広告を印刷したクリアーファイルに、書面をはさんで、めくり開いた状態。表面に広告がないことで、内容物の確認を妨げるものがないことを示している。
【手続補正２】
【補正対象書類名】実用新案登録請求の範囲
【補正対象項目名】全文
【補正方法】変更
【補正の内容】
【実用新案登録請求の範囲】
【請求項１】
広告や案内、社名、ロゴマークをクリアーファイルに印刷する場合に限り、表面から裏面の表向きに印刷場所を変更する事の考案により使用者が内容物を容易に確認出来ることを特徴とするクリアーファイル。
【手続補正３】
【補正対象書類名】図面
【補正対象項目名】全図
【補正方法】変更
【補正の内容】
【図１】
0003185752.tif 000007
【図２】
0003185752.tif 000008
【図３】
0003185752.tif 000009
【図４】
0003185752.tif 000010
【手続補正４】
【補正対象書類名】図面
【補正対象項目名】図５
【補正方法】追加
【補正の内容】
【図５】
0003185752.tif 000011
【手続補正５】
【補正対象書類名】図面
【補正対象項目名】図６
【補正方法】追加
【補正の内容】
【図６】
0003185752.tif 000012
【手続補正６】
【補正対象書類名】図面
【補正対象項目名】図７
【補正方法】追加
【補正の内容】
【図７】
0003185752.tif 000013
【手続補正７】
【補正対象書類名】図面
【補正対象項目名】図８
【補正方法】追加
【補正の内容】
【図８】
0003185752.tif 000014
(57)【要約】      （修正有）【課題】犬、猫のフードに風味を与え、食べやすい柔らかさ、さらに暖かい状態での食材の提供を可能とし、さらに、外出時や旅行時にも手軽に食材を与えることができる、犬、猫用のフードを提供する。【解決手段】犬、猫用のフード３ａの入り容器１の中にお湯を加え一定の時間放置する。また、犬、猫用のフード３ａはお湯を入れ一定時間置くことにより風味が加わり、犬、猫の健康上最適な柔らかさで提供できる素材、材質、品質とする。【選択図】図２
0003185761.tif 000002
【実用新案登録請求の範囲】
【請求項１】
お湯を入れ一定時間置くことにより食材の風味も加わり、健康上最適な柔らかさ、栄養源で提供できる犬、猫用のフードの入りの容器である犬、猫用カップフード。
【考案の詳細な説明】
【技術分野】
【０００１】  本考案は、犬、猫用のフードの入った容器にお湯を入れ一定の時間を置くことにより香ばしく柔らく味わいのある犬、猫用フードを犬、猫に提供する考案である。
また、容器は使用後使い捨て及びリサイクルが可能な素材とする。
【背景技術】
【０００２】  一般の犬、猫用の固形フードはそのままでは食材として作り立ての味わい感がなく、犬、猫も人間と同様に食欲がわかない。メーカや種類を変えても限界があり、かかる費用も高くなる。また、犬、猫にとっても栄養補給である犬、猫用のフードは大切な栄養源であり本能としても食欲は重要な食事プロセスである。
【考案の概要】
【考案が解決しようとする課題】
【０００３】  犬、猫のフードに風味を与え、食べやすい柔らかさ、さらに暖かい状態での食材の提供を可能とする手段を考案し、犬、猫の食欲を向上させ健康の増進を図る。さらに、外出時や旅行時にも手軽に食材を与えることができる手段を考案する。
【課題を解決するための手段】
【０００４】  本考案は、犬、猫用のフードの入り容器の中にお湯を加え一定の時間放置することにより本考案の問題を解決している。犬、猫用のフードはお湯を入れ一定時間置くことにより風味が加わり、犬、猫の健康上最適な柔らかさで提供できる素材、材質、品質とする。
【考案の効果】
【０００５】  上述の様に本考案の犬、猫用のカップフードは、犬、猫の食欲を増進させることは勿論、犬、猫用のフードを容器の中に入れた状態が保たれていることにより、携帯が容易であり外出時や旅行時にも手軽に食材を与えることができる。さらに、お湯を入れて一定時間置くことから風味が増した暖かい食事の提供となり犬、猫の健康増進に役立つ。本考案の一例としては、現在市販されている人間食材用のお湯を入れて一定時間放置し食べるカップヌードル的なものを犬、猫用としてイメージ化した形態である。
【図面の簡単な説明】
【０００６】
【図１】犬、猫用のフード入り容器の状態図である。
【図２】犬、猫用のフード入り容器にお湯を入れ一定時間経過後の状態図である。
【考案を実施するための形態】
【０００７】  犬、猫用のフードの入り容器にお湯を入れ一定時間置くことにより風味が加わり、犬、猫の健康上最適な柔らかさで提供できる素材、材質、品質とする。
これにより携帯が容易となり外出時や旅行時にも手軽に食材を与えることができ、さらに暖かい食材を提供することも可能であり、その結果犬、猫の健康増進に役立つ状況となる。
【実施例】
【００８】  以下、添付図面に従って一実施例を説明する。１は、犬、猫用のフード入りの容器であり上部開口部からお湯を入れる。２は、犬、猫用のフードの入った容器の蓋であり、お湯を入れた後、一旦閉めることのできる形状である。３は、お湯を入れる前の犬、猫用のフードであり、３ａは、お湯を入れた後一定時間を要した犬、猫用のフードの状態であり、膨張し風味があり暖かく柔らかい食欲が増す状態となっている。
【符号の説明】
【００９】  １  犬、猫用のフード入りの容器
２  犬、猫用のフードの入った容器の蓋
３  犬、猫用のフード
【図１】
0003185761.tif 000003
【図２】
0003185761.tif 000004
【手続補正書】
【提出日】平成25年6月12日(2013.6.12)
【手続補正１】
【補正対象書類名】実用新案登録請求の範囲
【補正対象項目名】全文
【補正方法】変更
【補正の内容】
【実用新案登録請求の範囲】
【請求項１】
熱湯を注ぐことが可能なカップ状容器に収容されていることを特徴とする犬、猫用のフード。
(57)【要約】      （修正有）【課題】冷蔵庫において急速冷凍ルームを利用して氷製の料理盛皿を作成し、冷やしてする刺身やサラダ、又は素麺などの盛り付けに利用する製作具を提供する。【解決手段】本体３と、上蓋２からなり、上蓋２は、円盤状で上部をへこませ、本体は、深皿の形状で、本体３に清水を入れ、上蓋をかぶせ、冷蔵庫の冷凍ルームにて製氷できるようにしたことを特徴とする氷の盛り付け皿の製作具で、上蓋に氷の膨張に負けない強度をつけるための補強リブを放射状に設けたことを特徴とする氷の盛り付け皿の製作具。【選択図】図４
0003185764.tif 000002
【実用新案登録請求の範囲】
【請求項１】
本体３と、上蓋２からなり、上蓋２は、円盤状で上部をへこませ、本体は、深皿の形状で、本体３に清水を入れ、上蓋をかぶせ、冷蔵庫の冷凍ルームにて製氷できるようにしたことを特徴とする氷の盛り付け皿の製作具。
【請求項２】
上蓋に氷の膨張に負けない強度をつけるための補強リブを放射状に設けたことを特徴とする請求項１記載の氷の盛り付け皿の製作具。
【請求項３】
上蓋に氷の膨張に負けない浮き上がり防止の上蓋と本体を係合させるためストッパー２２を備えたことと特徴とする請求項１記載の氷の盛り付け皿の製作具。
【請求項４】
氷皿の上部端面の凹凸を少なくし、滑らかな面を作り上げるために、上蓋に空気抜き２４を備えたことを特徴とする請求項１記載の氷の盛り付け皿の製作具。
【考案の詳細な説明】
【技術分野】
【０００１】家庭用冷蔵庫で氷の盛り付け皿を作る製作具に関する。
【背景技術】
【０００２】今まで、氷の上に刺身やサラダを盛り付ける盛り付け皿がなかった。
【考案の概要】
【考案が解決しようとする課題】
【０００３】近年の冷蔵庫には各社ともスピード冷凍のための凍結ルームを備えているが、利用頻度は多くなく、これを使って料理のための氷製の盛皿を作ることができなかった。
【課題を解決しようとするための手段】
【０００４】本体３と、上蓋２からなり、上蓋２は、円盤状で上部をへこませ、本体は、深皿の形状で、本体３に清水を入れ、上蓋をかぶせ、冷蔵庫の冷凍ルームにて製氷できるようにしたことを特徴とする氷の盛り付け皿の製作具。
【０００５】上蓋に氷の膨張に負けない強度をつけるための補強リブを放射状に設けたことを特徴とする請求項１記載の氷の盛り付け皿の製作具。
【０００６】上蓋に氷の膨張に負けない浮き上がり防止の上蓋と本体を係合させるためストッパー２２を備えたことと特徴とする請求項１記載の氷の盛り付け皿の製作具。
【０００７】氷皿の上部端面の凹凸を少なくし、滑らかな面を作り上げるために、上蓋に空気抜き２４を備えたことを特徴とする請求項１記載の氷の盛り付け皿の製作具。
【考案の効果】
【０００８】本考案の氷の盛り付け皿の製用具を用いることで、家庭用の冷凍冷蔵庫で、容易に種々の形状の氷皿を製作できる。
【図面の簡単な説明】
【０００９】
【図１】本考案の氷の盛り付け皿の製作具の上蓋の平面図
【図２】本考案の氷の盛り付け皿の製作具の上蓋の側面図
【図３】本考案の氷の盛り付け皿の製作具の本体の側面図
【図４】本考案の氷の盛り付け皿の製作具の使用断面図
【考案を実施するための形態】
【００１０】本考案の氷の盛り付け皿の製作具は、本体３と、上蓋２から構成される。
本考案の氷の盛り付け皿の製作具の上蓋の平面図を図１に、側面図を図２に示す。
上蓋２は、円盤状で上部をへこましており、真ん中に持ち手２３を有し、補強するためリブ２１、上蓋と本体を係合させるためストッパー２２を備える。
【００１１】本体は、図３のように深皿の形状である。
図４は、本考案の氷の盛り付け皿の製作具の使用断面図である。
氷の盛り付け皿の製作具の本体３に清水を入れ、上蓋をかぶせ、冷蔵庫の冷凍ルームにて製氷する。
氷の盛り付け皿の製作具の本体より取り出した氷の盛り付け皿の上に、料理を盛り付けて使用する。
【産業上の利用可能性】
【００１２】家庭用の冷凍冷蔵庫で、容易に種々の形状の氷皿を製作できる氷の盛り付け皿の製作具を提供する。
【符号の説明】
【００１３】１  氷の盛り付け皿の製作具
２  上蓋
２１  リブ
２２  ストッパー
２３  持ち手
２４  空気抜き
３  本体
４  氷
【図１】
0003185764.tif 000003
【図２】
0003185764.tif 000004
【図３】
0003185764.tif 000005
【図４】
0003185764.tif 000006
(57)【要約】      （修正有）【課題】可燃混合ガスを充分に燃焼させることができ、有害ガスの排出が低減される、点火パワーを補強するためのガソリンエンジン点火装置を提供する。【解決手段】プラグ１と、点火コイル２と、二次電池３と、二次電池の負極線７と、スパークプラグの接地回路５とからなり、二次電池の負極線において、２本以上のリード線８が並列にプラグ接地回路と相互接続されており、そのうち、少なくとも１本のリード線には１つの遮断器９が接続されている。二次電池の負極とプラグ設置回路との間の電気抵抗を低減させて、エンジン点火時の単位時間内でのプラグ負極への電子の数の流量を増やすことで、エンジン点火時のスパークパワーを補強する。遮断機が点火パワーを設定の範囲内で制御するため、ガソリンエンジンが希薄燃焼状態で安定に働き、燃料油の消耗が低減し、有害ガスの排出が減少される。【選択図】図２
0003185744.tif 000002
【実用新案登録請求の範囲】
【請求項１】
プラグと、点火コイルと、二次電池と、二次電池の負極線と、プラグ接地回路とからなる、点火パワーを補強するためのガソリンエンジン点火装置であって、前記二次電池の負極線において、２本以上の並列リード線が並列にプラグ接地回路と相互接続されており、前記並列リード線のうちの少なくとも１本には１つの遮断器が直列されていることを特徴とする、前記点火パワーを補強するためのガソリンエンジン点火装置。
【請求項２】
前記並列リード線が、エンジンのシリンダー蓋、シリンダー本体又は車体を介して前記プラグ接地回路と相互接続されていることを特徴とする、請求項１に記載の点火パワーを補強するためのガソリンエンジン点火装置。
【請求項３】
前記遮断器が、前記並列リード線の他の線の作動電流により制御され、又は全ての負極線リード線の作動電流により制御され、或いは前記点火コイルの初級コイルの電流により制御されることを特徴とする、請求項１又は２に記載の点火パワーを補強するためのガソリンエンジン点火装置。
【考案の詳細な説明】
【技術分野】
【０００１】
本発明は、動力車のガソリンエンジンの点火装置に関し、特に、点火パワーを補強するためのガソリンエンジン点火装置に関する。
【背景技術】
【０００２】
従来の動力車のガソリンエンジン点火装置は、図１に示すように、主に、プラグ１と、高圧点火コイル２と、二次電池３と、点火モジュール４と、プラグ接地回路５と、点火スイッチ６などからなり、その作動原理としては、点火装置が起動される場合、二次電池３又は発電機からの低圧電流が、高圧点火コイル２を通って電圧が急に高くなり、エンジンの各シリンダーのプラグ１に提供されて、プラグ１で発生されたスパークによりシリンダー内の可燃混合ガスを発火させる。従来の動力車のガソリンエンジン点火装置の欠点としては、二次電池の負極とプラグ１接地回路との間のリード線、即ちバッテリー負極線の作動断面積が小さいため、エンジンの点火時のパワーが不足し、且つ調節もできないため、エンジンの作動シリンダー内の混合可能なガスの燃焼が不十分となり、それにより、エンジンの燃料油が消耗し、また排気ガスからの有害ガスが増加してしまう。
【考案の概要】
【考案が解決しようとする課題】
【０００３】
本発明は、可燃混合ガスを充分に燃焼させることができ、有害ガスの排出が低減される、点火パワーを補強するためのガソリンエンジン点火装置を提供する。
【課題を解決するための手段】
【０００４】
本発明の目的が実現可能な、点火パワーが補強されたガソリンエンジン点火装置は、プラグと、点火コイルと、二次電池と、二次電池の負極線と、プラグ接地回路とを含み、前記二次電池の負極線において、２本以上の並列リード線が並列に前記プラグ接地回路と相互接続しており、前記並列リード線のうちの少なくとも１本には１つの遮断器が直列されている。
前記並列リード線が、エンジンのシリンダー蓋、シリンダー本体又は車体を介して前記プラグ接地回路と相互接続している。
前記遮断器は、前記並列リード線の他の線の作動電流により制御され、又は全ての負極線リード線の作動電流により制御され、或いは前記点火コイルの初級コイルの電流により制御される。
本発明の点火パワーを補強するためのガソリンエンジンの点火方法及びその点火装置は、単位時間内でのプラグの負極への電子の数の提供量を増やし、エンジンの点火時のスパークパワーを補強することができ、且つ、異なる運転状況に応じてコントロール及び調節を行うことで、従来のガソリンエンジンの働きが希薄燃焼状態で安定に働き、即ち、空燃比Ａ／Ｆ＞１７となるため、燃料油の消耗が低減され、且つ有害ガスの排出が大幅に減少されるようになる。
【図面の簡単な説明】
【０００５】
【図１】従来のガソリンエンジン点火装置の構造の見取り図である。
【図２】本発明の点火パワーを補強するためのガソリンエンジン点火装置の実施例の１つの構造見取図である。
【考案を実施するための形態】
【０００６】
以下、図面に基づき本実用新案の実施例を更に詳しく説明する。
図２に示すように、本発明の点火パワーを補強するためのガソリンエンジン点火装置は、相互接続のプラグ１と、高圧点火コイル２と、二次電池３と、点火モジュール４と、プラグ接地回路５と、点火スイッチ６と、二次電池の負極線７と、２本の並列リード線８と、遮断器９とを含む。二次電池３とプラグ接地回路５との間に２本の接続線８が直列されており、そのうちの１本に１つの遮断器９が直列接続される。
また、二次電池の負極端子から２本の接続リードを出し、そのうちの１本に１つの遮断器を直列接続させて、プラグ接地回路と相互に接続可能なエンジンのシリンダー蓋又はシリンダー本体或いは車体まで接続させてもよい。
本実用新案の作動原理としては、二次電池３の負極とプラグ接地回路５との間の電気抵抗を低減させて、エンジン点火時の単位時間内でのプラグ負極への電子の数の流量を増やすことで、エンジン点火時のスパークパワーを補強することである。
エンジンの点火時、スパークパワーが大幅に補強されると、ガソリンエンジンの希薄燃焼条件を造り、且つ遮断器（又はコンピュータのコントロールの下）で、点火パワーが設定の範囲内にて変化するため、プラグが過度のスパークパワーで損なわれることが回避される。それにより、従来のガソリンエンジンが希薄燃焼状態で安定に働き、即ち、空燃比Ａ／Ｆ＞１７となり、エンジンシリンダー内の可燃混合ガスの燃焼が更に充分となり、燃料油の消耗が低減され、また排ガス中の有害ガスの排出も大幅に減少されるようになる。
【図１】
0003185744.tif 000003
【図２】
0003185744.tif 000004
(57)【要約】      （修正有）【課題】自分の指で自分の身体の指圧のツボを押す指圧を少しでも手助けすることができる指に取り付けて指圧をするコンパクトなローラー指圧器を提供する。【解決手段】指圧ローラー４と、指圧ローラー４を軸支するローラーフレーム２と、ローラーフレーム２に設けられた指に取付け用のバンド３を備えた。携帯用の指圧器としても最適であり、家庭用指圧者の要望にも充分答え得る。【選択図】図１
0003185746.tif 000002
【実用新案登録請求の範囲】
【請求項１】
指に簡単に取付けて指圧が出来るようにしたコンパクトなローラー指圧器であり指圧のツボにも広く適合するローラー指圧器を具備した指に取付けて指圧をするコンパクトなローラー指圧器である。
【考案の詳細な説明】
【考案の概要】
【考案が解決しようとする課題】
【０００１】従来迄の家庭に於ける指圧では、指で指圧のツボを押したり揉んだりする指圧を少しでも手助けすることができるような簡便な指圧器があれば家庭指圧にも励みが出るのにと云う要望が早くからあったが従来迄は簡単な指圧器はなかった。
【課題を解決しようとする手段】
【０００２】課題解決のため本考案ではコンパクトなローラーを指圧器として使用し、ローラーのフレームに指して取付けられるように指に取付け用のバンドを装着した簡単な構造の指に取付けて指圧をするローラー指圧器である。
図面の第１図にその全体図を示す、指圧器としてローラーを使用するには、広く人体に分布する指圧のツボの形状が大、小あり又狭小な指圧のツボもあって、これらの異なる形状の指圧のツボに適合できるローラーの型が必要であり第２図に基本的に必要なローラーの３種類の型を図示したものである。本考案の特徴として、次のような長所がある。
１）  指に簡単に取付けて指圧が出来る長所
２）  このローラー指圧器による指圧は、指による指圧よりも指圧器を使うだけで楽な指圧が出来る長所
３）  指による指圧で疲れたら、このローラー指圧器が指による指圧に代行して指圧することが出来る長所
４）  ローラー指圧器による指圧は、それぞれの指圧のツボを中心にその周りをもローラーの回転で広く指圧できる長所
５）  ローラーの回転による指圧には軽快な爽快感が伴う長所
６）  コンパクトなローラー指圧器なので携帯用の指圧器として最適な長所がある
【考案の効果】
【０００３】従来迄は簡便な指圧器が要望されなかったが本考案の指に取付けて指圧するローラー指圧器の開発により要望が実現された効果がある。
【図面の簡単な説明】
【０００４】
【図１】は指に取付けて指圧をするコンパクトなローラー指圧器の本体を示す全体図である。
【図２】は、指圧ローラーの種類を示す、基本的なローラーの形式図である。
【符号の説明】
【０００５】▲１▼  コンパクトな指圧器の本体
▲２▼  ローラーフレーム
▲３▼  指に取付け用のバンド
▲４▼  平型指圧ローラー
▲５▼  半丸型指圧ローラー
▲６▼  三角型指圧ローラー
【図１】
0003185746.tif 000003
【図２】
0003185746.tif 000004
【手続補正書】
【提出日】平成25年6月13日(2013.6.13)
【手続補正１】
【補正対象書類名】実用新案登録請求の範囲
【補正対象項目名】全文
【補正方法】変更
【補正の内容】
【実用新案登録請求の範囲】
【請求項１】
指圧ローラーと、前記指圧ローラーを軸支するローラーフレームと、前記ローラーフレームに設けられた指に取付け用のバンドを備えたことを特徴とするローラー指圧器
(57)【要約】      （修正有）【課題】屋根等に設置した太陽電池モジュールの裏面の損傷・損壊・劣化等を予防する保護具付設構造の太陽光発電システムを提供する。【解決手段】付設の作業が容易であって、屋根等の形状や取付け位置でも現場で容易に調節・加工する事が可能で、加えて長期間、保護効果が発揮出来る耐熱性粘着テープ及びこれらに類する高耐熱アルミ箔テープ等を保護具として太陽電池モジュールと屋根等の四面（上部端、下部端、左端部、右端部）間に付設する。また、流入・風入する雨水、風塵、風砂、微粒ごみ等の汚れを自然流出、排出させる為、太陽電池モジュールと屋根等の下部端面及び保護具間に適切な空隙を設ける。【選択図】図１
0003185749.tif 000002
【実用新案登録請求の範囲】
【請求項１】
太陽電池モジュールを屋根等に設置する時、太陽電池モジュールと屋根等の四面間（上部端、下部端、左部端及び右部端）を、耐熱性粘着テープ及びこれらに類するアルミ箔粘着テープ等を保護具として屋根等の形状等に合わせて取付け付設する構造である。
この時、太陽電池モジュールと屋根等の下部面間（太陽電池モジュールと屋根等間及び耐熱性粘着テープ間）に汚れた雨水、微粒ごみ等が自然流出・排出する適切な空隙を設けて封止し、付設することを特徴とする太陽光発電システム。
【考案の詳細な説明】
【考案の概要】
【考案が解決しようとする課題】
【０００１】太陽電池モジュールを屋根等に設置する時、太陽電池モジュールと屋根等の間に流入・風入して経時的に堆積する風塵・風砂・雨滴・異物・微粒ごみ等で太陽光モジュール裏面の損傷・損壊、劣化が進捗し、掃除も困難である。
【課題を解決するための手段】
【０００２】太陽電池モジュールと屋根等間の四面（上、下、左、右各端部）に、形状に合わせて耐熱性粘着テープ等を保護具として付設する構造とし、異物・微粒ごみ等の流入と付着を予防し、下部面の空隙による自然流出・排出により問題点を解決する。
【考案の効果】
【０００３】本考案により太陽電池モジュール裏面への異物、微粒ごみ等の長期間の流入と付着等が予防され、下部面の空隙により雨水等の自然流出・排出により太陽電池モジュール裏面への損傷・損壊、劣化と異物、微粒ごみ等の除去・掃除が簡易になる。
【図面の簡単な説明】
【０００４】
【図１】本考案の平面図（保護具：耐熱粘着テープ等設置・取り付け設置図）である。
【図２】本考案の断面図（保護具：耐熱粘着テープ等設置・取り付け設置図）である。
【符号の説明】
【０００５】  １．屋根等
２．太陽電池モジュール
３．保護具（耐熱性粘着テープ又は高耐熱アルミ箔テープ等）
４．野地板
５．軒棟固定金具
６．縦桟
７．スレート・板金金具
８．垂木
９．和瓦・平板瓦
１０．空隙（屋根等間、耐熱性粘着テープ等間）
【図１】
0003185749.tif 000003
【図２】
0003185749.tif 000004
【手続補正書】
【提出日】平成25年6月18日(2013.6.18)
【手続補正１】
【補正対象書類名】実用新案登録請求の範囲
【補正対象項目名】全文
【補正方法】変更
【補正の内容】
【実用新案登録請求の範囲】
【請求項１】
太陽電池モジュールを屋根等に設置する時、太陽電池モジュールと屋根等の四面間において、上部端、下部端、左部端及び右部端を、金属材、樹脂材、耐熱性粘着テープ又はアルミ箔粘着テープ等を保護具として屋根等の形状等に合わせて取付け付設して汚れた雨水、微粒ごみ等の進入を予防し、下部端では自然流出・排出する適切な空隙を設けて封止することを特徴とする構造の太陽光発電システム。
(57)【要約】      （修正有）【課題】正月及び五月節句に飾る破魔弓飾りであって、室内の壁面や長押等に掛架して好適であり、簡単構造にして斬新性を発揮する破魔弓飾りを提供する。【解決手段】飾枠構成部材１と、該部材の内部にセットされる弓２及び矢３と、により、大略構成され、飾枠構成部材の前部には透明性アクリル樹脂板によって構成される透視部４を設け、飾棒構成部材の後部には赤色あるいは朱色を施してなる縦板５が設けられ、縦板の前面には鳥の子紙を表装してなる飾板が固定され、飾板の表面には矢が上になるように、また、弓が下になるように、或いは、弓が上になり、矢が下になるようなクロス形体を保持して固定されることを特徴とする。【選択図】図１
0003185774.tif 000002
【実用新案登録請求の範囲】
【請求項１】
飾枠構成部材と、該部材の内部にセットされる弓及び矢と、により大略構成され、前記飾枠構成部材の前部には透明性アクリル樹脂板によって構成される透視部を設け、前記飾枠構成部材の後部には表面を赤色もしくは朱色に施した縦板が設けられ、該縦板の前面には鳥の子紙を表装してなる飾板が固定され、該飾板の表面には矢が上になるように、また、弓が下になるように、或いは弓が上になり、矢が下になるようにクロス形体を保持して固定されることを特徴とする破魔弓飾り。
【請求項２】
前記弓の握りは、黒色に色彩仕上げされ、握りの一端には青色のアクリル糸，青色の絹糸，青色のポリエステル糸などを巻回して仕上げる青色着色部が施され、握りの他端には白色のアクリル糸，白色の絹糸、白色のポリエステル糸などを巻回して仕上げる白色着色部が施してあることを特徴とする請求項１記載の破魔弓飾り。
【請求項３】
前記矢の矢幹は黒色に色彩仕上げされ、矢幹の上端には赤色のアクリル糸，赤色の絹糸，赤色のポリエステル糸などを巻回して仕上げる赤色着色部が施され、矢幹の下端には緑色のアクリル糸，緑色の絹糸，緑色のポリエステル糸などを巻回して仕上げる緑色着色部が施され、前記矢の矢幹には鳥の羽根を形象し、黒色に色彩仕上げされる木製薄板製の三枚羽根が取り付けられ、前記飾枠構成部材に掛架用金具が取り付けられることを特徴とする請求項１記載の破魔弓飾り。
【考案の詳細な説明】
【考案の詳細な説明】
【技術分野】
【０００１】  本考案は、破魔弓飾りに関するものである。
【背景技術】
【０００２】  正月及び五月節句に、男児の祝いに用いる破魔弓として、例えばガラスケース入りタイプのものが普及し、部屋の中の床の間などを飾り場所としている。また、破魔弓は、鎧兜を飾り主体とする五月人形平飾りとセットにして飾られている。
【考案が解決しようとする課題】
【０００３】  しかし、上述のようなガラスケース入り破魔弓飾りは、看者に旧態依然とした印象と見飽きた感を与える等の嫌いがあった。
また、平飾りに飾付けた破魔弓は、節句後に箱の中に収納保管したり、破魔弓に付いたホコリを落としたりする等の手間や面倒を要していた。
【課題を解決するための手段】
【０００４】  本考案は、上述の問題点を解決することを目的として創案された破魔弓飾りに係り、詳しくは本考案は、正月や五月節句時にこだわることなく住宅室内の壁面や長押等に掛架して掲示使用することができると共に、いつでも容易に看取することができ、斬新構造・斬新  意匠にして取扱い易く工夫された破魔弓飾りを特徴とする。
【考案を実施するための形態】
【０００５】  本考案は、飾枠構成部材１と、該部材１の内部にセットする弓２及び矢ａと、により大略構成され、前記飾枠構成部材１の前部には、透明性アクリル樹脂板によって構成される透視部４を設け、前記飾枠構成部材１の後部には、赤色あるいは朱色に表面仕上げした縦板５が設けられ、該縦板５の前面には鳥の子紙を表装してなる飾板６が固定され、該飾板６の表面には、矢３が上になるように、また弓２が下になるようにクロス形体を保持して固定される。
また、前記飾板６の表面に固定される弓２が上になり、矢３が下になるようなクロス形体を保持して固定するような実施形態に構成してもよい。
【０００６】  前記弓２の握り７は黒色に色彩仕上げされ、握り７の一端には青色のアクリル糸，青色の絹糸，青色のポリエステル糸などを巻回して仕上げる青色着色部８が施され、握り７の他端には白色のアクリル糸，白色の絹糸，白色のポリエステル糸などを巻回して仕上げる白色着色部９が施してある。
【０００７】  前記矢３の矢幹は黒色に色彩仕上げされ、矢幹の上端には赤色のアクリル糸，赤色の絹糸，赤色のポリエステル糸などを巻回して仕上げる赤色着色部１０が施され、矢幹の下端には緑色のアクリル糸，緑色の絹糸，緑色のポリエステル糸などを巻回して仕上げる緑色着色部１１が施してある。
【０００８】  また、前記矢３の矢幹には鳥の羽根を形象し、黒色に色彩仕上げされる木製薄板製の三枚羽根１２が取付けられる。
【０００９】  尚、前記飾枠構成部材１に掛架吊用金具（図示を省略）が取り付けてあ
る。
【考案の効果】
【００１０】  本考案は、以上説明したような形態で実施され、以下に記載されるような効果を奏する。
【００１１】  飾枠内の飾板に配置される弓と矢を飾枠の前部に設けた透明性アクリル樹脂板（透視部）を透して容易に看取できる。
【００１２】  また、本考案に係る破魔弓飾りは、黒色仕上げの弓の握りに青色及び白色の各着色部が顕現し、また黒色仕上げの矢の矢幹に赤色及び緑色の各着色部が顕現し、更に、矢の矢幹に鳥の羽根をモチーフとする黒色の木製薄板製三枚羽根が取り付き、しかも上記構造の弓と矢は、飾枠内に配置される飾板の表面にクロスした形態で固定する配置構成を顕現するから、従来の台部に弓矢を直立状態で飾り立てていた破魔弓飾りに比し、一段と装飾・美観の向上した破魔弓飾りを得ることができる。
【００１３】  また、本考案に係る破魔弓飾りは、飾枠に掛架用金具が取り付けてあるため、室内の壁面・長押等に掛架可能な破魔弓飾りとして鑑賞し使用でき、また、室内適所に定置して飾ることが可能である。
【図面の簡単な説明】
【図１】本考案破魔弓飾りの正面図である。
【図２】本考案破魔弓飾りの背面図である。
【図３】本考案破魔弓飾りの側断面図である。
【図４】弓と矢の斜視図である。
【符号の説明】１    飾枠構成部材
２    弓
３    矢
４    透視部
５    縦板
６    飾板
７    握り
８    青色着色部
９    白色着色部
１０  赤色着色部
１１  緑色着色部
１２  三枚羽根
【図１】
0003185774.tif 000003
【図２】
0003185774.tif 000004
【図３】
0003185774.tif 000005
【図４】
0003185774.tif 000006
(57)【要約】      （修正有）【課題】パンツにストレッチ素材を使用したり、膝部分にタックやダーツを取ったり、最初から曲げた状態の単純立体裁断による膝の可動域を作らなくても、パターン上で、もっとスムーズに膝を曲げたり伸ばしたりしやすくする機能的なパンツを提供する。【解決手段】膝の曲げ伸ばしの機能について、下部との接点をアウトカーブにした１枚の上部半身パターンに、膝下の可動域をそのカーブにあわせて放射状分割し、その分割パターンを合体させて１枚の下部半身パターンを作り、上部と下部のラインの違うカーブを縫合することによって課題を解決している。【選択図】図３
0003185780.tif 000002
【実用新案登録請求の範囲】
【請求項１】
パンツのパターンを上下の２分割で考え、その上部半身パターンは、下辺をフロント股グリから膝裏にかけてアウトカーブにした１枚のパターンに設定し、それに下部半身を、フロントセンタークリーズライン中心として膝の曲げ伸ばし位置に放射状分割し、その分割された下部パターンを合体させて１枚の下部半身パターンを作り、それらのカーブラインが違う上下のパターンを縫合する事により、膝の曲げ伸ばしがスムーズにできる機能的なパンツ。
【考案の詳細な説明】
【技術分野】
【０００１】  本考案は、膝の曲げ伸ばしがしやすいパンツに関するものである。
【背景技術】
【０００２】  従来のパンツは、膝の曲げ伸ばしの可動性を得る為には、素材がストレッチであるか、最初から膝を曲げた状態を固定的に設定するか、膝の運動量をダーツやタックで取っている。
【考案の概要】
【考案が解決しようとする課題】
【０００３】  ストレッチ素材でなくても、タックやダーツを取らなくても、もっとスムーズに膝の曲げ伸ばしがしやすいパンツを作ることを目的とする。
【課題を解決するための手段】
【０００４】  本考案は、膝を伸ばした状態と曲げた状態を膝から上と膝から下の２分割のパターンで構成し、正面膝中心部をストレートに、正面から膝の後に行くに従って少しずつ曲げた状態に縫い合せていくことで、膝の動きがよりスムーズになるように課題を解決している。
【考案の効果】
【０００５】  膝の運動量が加味されているために、同素材の同じサイズのパンツをはいた時に大きくさえ感じるほどで、足の屈伸に抵抗も少ないために、伸縮性のない素材や細身で作られたパンツでも、スムーズな膝の曲げ伸ばしが可能になる。
【図面の簡単な説明】
【０００６】
【図１】従来のパンツの右半身パターン
【図２】ニー  アクション  パンツの右半身上部パターン
【図３】ニー  アクション  パンツの右半身下部分解図
【図４】ニー  アクション  パンツの右半身下部パターン
【図５】上下パターンの縫合分解図
【図６】ニー  アクション  パンツ  着用時の見え方
【考案の実施するための形態】
【０００７】  従来のパンツパターンの前身と後身の外腰上部のみを合体させて、内股下部分から膝にかけてゆるい外カーブで、１枚の上部パターンを作り、そのカーブに放射状に構成される４分割下部パターンを合体させた下部パターンを縫い合わせることで、膝の曲げ伸ばしがスムーズにできる機能が生まれる。
【実施例】
【０００８】  以下、添付図面に従って実施例を説明する。図１の従来のパンツパターンは、前身と後身の前後２パターンで構成することで、縦方向の縫いが生地の地の目に沿うようになるので縫いやすく、立ち姿は綺麗だが、膝の曲げ伸ばしが考慮されていないので、基本的に膝は曲げにくい。【０００９】  従来のパターンの上部を脇で合体させて、上下の分割をフロント股グリ少し下から膝上を通って膝裏部分にゆるいアウトカーブをつけながら図２のような上部パターンを作り、図３のニー  アクション  パンツの右半身分解図のように、フロントクリーズラインを中心に内膝下や外膝下を膝曲げの状態でアウトカーブに沿って放射状で設定することで、膝を伸ばした状態のフロントと曲げた状態の両サイドが、膝の曲げ伸ばしの運動量を確保し、フロント股グリ下から始まった縫い線が、座った時または腰を曲げた時の内股から膝にかけての引っ張り抵抗を緩和し、膝上の縫い線が、膝曲げ時に縫い部分が膝に当たることを避けるようにしている。【００１０】  図３の放射状に４分割された下部パターンを合体させて、ラインを結ぶことで図４のような下部パターンを作ることができる。【００１１】  上下パターンが完成後、図５のように、上下違うカーブを縫合することで、一つの形のみをカバーする単純な立体ではなく、膝を伸ばした時と曲げた時の両方の動きに追随することができ、更に縫い線のカーブバイヤス部分が適度な伸縮性を生み、よりスムーズな運動機能を発揮することができる。【００１２】  図６のように、従来とは全く違った横方向で、膝より少し高い位置の切替しラインで構成されているために、膝下が長く見えるという足長効果も期待できる。
【産業上の利用可能性】
【００１３】本考案は、４分割の放射状下部パターンの放射角度を大きくすればするほど、膝の可動域が増し、角度を狭くすると立ち姿がストレートに見えたりというように、必要な膝の可動域に応じて、さまざまなスポーツや作業に対応した下衣の広がりの可能性を有している。
【図１】
0003185780.tif 000003
【図２】
0003185780.tif 000004
【図３】
0003185780.tif 000005
【図４】
0003185780.tif 000006
【図５】
0003185780.tif 000007
【図６】
0003185780.tif 000008